(57)【要約】      （修正有）【課題】試験員１名による試験作業であっても受信機側の動作を確認可能として不安なく感知器の試験作業を進めることを可能とする。【解決手段】試験治具１０は、治具本体１２から引き出された電話ケーブル１８を介して火災報知設備の受信機から音声信号が電話回線を介して供給される電話ジャックに着脱自在に接続する電話プラグ１４と、治具本体１２から引き出されマイクケーブル２０を介してトランシーバのマイク入力端子に着脱自在に接続するマイクプラグ１６を備える。治具本体１２には、電話プラグ１４を介して音声信号を入力している場合にトランシーバに送信動作を指示して音声信号を無線送信させる回路ユニツトを収納している。【選択図】図１
2017016221.tif 000002
【特許請求の範囲】
【請求項１】
治具本体と、
前記治具本体から引き出された信号線ケーブルを介して電話ジャックに着脱自在に接続する電話プラグと、
前記治具本体から引き出され信号線ケーブルを介して、通信端末のマイク入力端子に着脱自在に接続するマイクプラグと、
前記治具本体に収納され、前記電話プラグを介して前記音声信号を入力している場合に前記マイクプラグを介して前記通信端末に送信動作を指示して前記音声信号を無線送信させる回路ユニットと、
を備えたことを特徴とする試験支援治具。
【請求項２】
請求項１記載の試験支援治具に於いて、
前記マイクプラグを接続する通信端末が、マイクスイッチの操作によりマイク入力端子に流れる電流を検出した場合に送信動作に切替えて前記マイク入力端子から入力した音声信号を無線送信する機能を備えた場合、
前記回路ユニットは、
前記電話プラグから入力した音声信号の前記マイクプラグに対する出力をオン、オフするスイッチ回路部と、
前記音声信号の入力を検出している場合に前記スイッチ回路部をオンして音声信号を出力させ、前記音声信号の入力を検出しなくなった場合に前記スイッチ回路部をオフするスイッチ制御部と、
前記スイッチ回路部の入力側に接続され、前記スイッチ回路部をオンした場合に前記通信端末のマイク入力端子に前記マイクスイッチの操作に相当する電流を流して前記通信端末を送信動作に切替えるダミー抵抗と、
を備えたことを特徴とする試験支援治具。
【請求項３】
請求項２記載の試験支援治具に於いて、前記回路ユニットは、更に、
前記電話プラグの前記電話ジャックに対する接続極性を無極性化して接続する無極性化回路部と、
前記無極性化回路部の出力を入力し、前記電話回線から加わる過電圧を抑圧する保護回路部と、
前記保護回路部の出力を入力し、前記電話回線に重畳しているハムノイズ成分を除去して所定の音声帯域の信号を通過させるフィルタ回路部と、
前記フィルタ回路部の出力を入力し、前記電話回線から得られた音声信号を前記通信端末のマイク入力に適合した信号レベルに調整して前記スイッチ回路部に出力するゲイン調整回路部と、
を備え、
前記フィルタ回路部の出力を前記スイッチング制御部に入力したことを特徴とする試験支援治具。
【請求項４】
請求項３記載の試験支援治具に於いて、前記回路ユニットは、更に、前記電話回線に重畳している直流電圧を前記保護回路部から入力して所定の電源電圧を生成し、当該電源電圧を前記スイッチ回路部、前記スイッチ制御部、前記フィルタ回路部及び前記ゲイン調整部に供給する定電圧回路部を設けたことを特徴とする試験支援治具。
【請求項５】
請求項１記載の試験支援治具に於いて、
前記マイクプラグを接続する通信端末が、マイク入力端子に接続したマイクからの音声信号の入力を検出した場合に送信動作に切替えて前記音声信号を無線送信する機能を備えた場合、
前記回路ユニットは、
前記電話プラグの前記電話ジャックに対する接続極性を無極性化して接続する無極性化回路部と、
前記無極性化回路部の出力を入力し、前記電話回線から加わる過電圧を抑圧する保護回路部と、
前記保護回路部の出力を入力し、前記電話回線に重畳しているハムノイズ成分を除去して所定の音声帯域の信号を通過させるフィルタ回路部と、
前記フィルタ回路部の出力を入力し、前記電話回線から得られた音声信号を前記通信端末のマイク入力に適合した信号レベルに調整して前記通信端末のマイク入力端子に出力するゲイン調整回路部と、
を備えたことを特徴とする試験支援治具。
【請求項６】
請求項５記載の試験支援治具に於いて、前記回路ユニットは、更に、前記電話回線に重畳している直流電圧を前記保護回路部から入力して所定の電源電圧を生成し、当該電源電圧を前記フィルタ回路部及び前記ゲイン調整部に供給する定電圧回路部を設けたことを特徴とする試験支援治具。
【請求項７】
請求項１、２、３又は５の何れかに記載の試験支援治具に於いて、前記通信端末を、音声通信を行うトランシーバとしたことを特徴とする試験支援治具。
【請求項８】
請求項１記載の試験支援治具に於いて、火災報知設備の感知器試験に使用することを特徴とする試験支援治具。
【発明の詳細な説明】
【技術分野】
【０００１】
本発明は、火災報知設備に設けた火災感知器の試験等を支援する試験支援治具に関する。
【背景技術】
【０００２】
従来、火災報知設備にあっては、設備を施工する場合や運用中に定期点検を行っており、その中で、試験治具を用いて火災感知器を実際に作動させる感知器試験を行う。
【０００３】
感知器試験は、受信機に一人、感知器側に一人の２名の点検員により行われる。感知器側の点検員は、支持ポールの先端に試験ヘッドを設けた試験治具を使用し、試験ヘッドを例えば煙感知器を覆うように下から密着させ、この状態で試験ヘッドから煙を流入させて煙感知器を動作するか、あるいは磁石によるリードスイッチ等の動作で煙感知器を擬似的に動作し、受信機の点検員が火災感知器の動作試験に伴う火災受信の有無を確認し、トランシーバなどで連絡を取りながら試験作業を進めている。
【０００４】
このように、感知器試験は少なくとも２名の点検員が必要であり、作業工数の削減を目的として、これを１名でできるようにした感知器試験システムが期待されている。例えば受信機に火災受信を検出して試験結果として打ち出すプリンタを設け、試験治具を用いて警戒区域に設置している火災感知器の動作試験を行い、感知器試験が終了した時点でプリンタの記録内容をみることで、動作試験を行った火災感知器が正常か異常かを判断する感知器試験システムである。
【０００５】
このような点検員１名による感知器試験では、受信機側に点検員がつかず、感知器試験に伴う受信機からの火災警報の復旧操作が行えないことから、感知器試験に先立ち、例えば地区音響警報については警報停止操作を行っておき、また受信機から出す主音響警報については、復旧操作によらず、火災検出信号が受信されている間だけ警報を出力するように設定する操作を行うことになる。
【先行技術文献】
【特許文献】
【０００６】
【特許文献１】特開平０５−１５１４７８号公報
【特許文献２】特開平２００２−０２６７４４号公報
【発明の概要】
【発明が解決しようとする課題】
【０００７】
しかしながら、このような従来の点検員１名による感知器試験を可能とした感知器試験システムにあっては、点検員が試験治具を用いて警戒区域に設置している火災感知器の動作試験を行った場合、感知器が試験発報して受信機で正常に受信されたがどうかは受信機に戻ってプリンタの記録内容を見なければわからず、点検員２名でインターホンで連絡を取りながら行っている試験に比べ、受信機側の状況をリアルタイムで把握することができないために不安となり、ある程度作業が進んだ段階で受信機に戻って試験結果を確認しながら行うことから、作業負担が増加する問題がある。
【０００８】
また、感知器の試験作業中に実際に火災が発生した場合、受信機から火災警報が出力されるが、この火災警報が感知器試験によるものか、実際に起きた火災によるものかの区別がつきにくく、また受信機からの警報音が聞こえにくい場所で作業している場合もあり、火災に気付くまでに時間がかかり、迅速且つ適正な対処ができなくなる恐れがある。
【０００９】
本発明は、点検員１名による試験作業であっても受信機側の動作を確認可能として不安なく感知器の試験作業を進めることを可能とする試験支援治具を提供することを目的とする。
【課題を解決するための手段】
【００１０】
（試験支援治具）
本発明は、試験支援治具であって、
治具本体と、
治具本体から引き出された信号線ケーブルを介して、火災報知設備の受信機から音声信号が電話回線を介して供給される電話ジャックに着脱自在に接続する電話プラグと、
治具本体から引き出され信号線ケーブルを介して、通信端末のマイク入力端子に着脱自在に接続するマイクプラグと、
治具本体に収納され、電話プラグを介して音声信号を入力している場合にマイクプラグを介して通信端末に送信動作を指示して音声信号を無線送信させる回路ユニットと、
を備えたことを特徴とする。
【００１１】
（ＰＴＴ機能付き通信端末向けの回路ユニット）
マイクプラグを接続する通信端末が、マイクスイッチ（プッシュ・トーク（ＴＰＰ）スイッチ）の操作によりマイク入力端子に流れる電流を検出した場合に送信動作に切替えてマイク入力端子から入力した音声信号を無線送信する機能を備えた場合、
回路ユニットは、
電話プラグから入力した音声信号のマイクプラグに対する出力をオン、オフするスイッチ回路部と、
音声信号の入力を検出している場合にスイッチ回路部をオンして音声信号を出力させ、音声信号の入力を検出しなくなった場合にスイッチ回路部をオフするスイッチ制御部と、
スイッチ回路部の入力側に接続され、スイッチ回路部をオンした場合にマイクプラグを接続した通信端末のマイク入力端子にマイクスイッチの操作に相当する電流を流して通信端末を送信動作に切替えるダミー抵抗と、
を備える。
【００１２】
（回路ユニットの追加構成）
回路ユニットは、更に、
電話プラグの電話ジャックに対する接続極性を無極性化して接続する無極性化回路部と、
無極性化回路部の出力を入力し、電話回線から加わる過電圧を抑圧する保護回路部と、
保護回路部の出力を入力し、電話回線の重畳しているハムノイズ成分を除去して所定の音声帯域の信号を通過させるフィルタ回路部と、
フィルタ回路部の出力を入力し、電話回線から得られた音声信号を通信端末のマイク入力に適合した信号レベルに調整してスイッチ回路部に出力するゲイン調整回路部と、
を備え、
フィルタ回路部の出力をスイッチング制御部に入力する。
【００１３】
（定電圧回路部）
回路ユニットは、更に、電話回線に重畳している直流電圧を保護回路部から入力して所定の電源電圧を生成し、当該電源電圧をスイッチ回路部、スイッチ制御部、フィルタ回路部及びゲイン調整部に供給する定電圧回路部を設ける。
【００１４】
（ＶＯＸ機能付き通信端末向けの試験支援治具）
マイクプラグを接続する通信端末が、マイク入力端子に接続したマイクからの音声信号の入力を検出した場合に送信動作に切替えて音声信号を無線送信する機能を備えた場合、
回路ユニットは、
電話プラグの電話ジャックに対する接続極性を無極性化して接続する無極性化回路部と、
無極性化回路部の出力を入力し、電話回線から加わる過電圧を抑圧する保護回路部と、
保護回路部の出力を入力し、電話回線に重畳しているハムノイズ成分を除去して所定の音声帯域の信号を通過させるフィルタ回路部と、
フィルタ回路部の出力を入力し、電話回線から得られた音声信号を通信端末のマイク入力に適合した信号レベルに調整して通信端末のマイク入力端子に出力するゲイン調整回路部と、
を備える。
【００１５】
（定電圧回路）
回路ユニットは、更に、電話回線に重畳している直流電圧を保護回路部から入力して所定の電源電圧を生成し、当該電源電圧をフィルタ回路部及びゲイン調整部に供給する定電圧回路部を設ける。
【００１６】
（トランシーバ）
通信端末を、音声通信を行うトランシーバとする。
【００１７】
（感知器試験）
試験支援治具は、火災報知設備の感知器試験に使用する。
【発明の効果】
【００１８】
（基本的な効果）
本発明による試験支援治具であっては、治具本体と、治具本体から引き出された信号線ケーブルを介して電話ジャックに着脱自在に接続する電話プラグと、治具本体から引き出され信号線ケーブルを介して、通信端末のマイク入力端子に着脱自在に接続するマイクプラグと、治具本体に収納され、電話プラグを介して音声信号を入力している場合にマイクプラグを介して通信端末に送信動作を指示して音声信号を無線送信させる回路ユニットを設けるようにしたため、例えば感知器試験を行う場合、検査員は、試験を行う火災感知器の設置場所に設けている例えば発信機の電話ジャックに試験支援治具の電話プラグを接続すると共に試験支援治具のマイクプラグに通信端末を接続し、更に別の通信端末を携帯し、この状態で試験治具を用いて火災感知器を試験発報すると、受信機から電話回線に送出された回線発報を示す音声信号を試験支援治具を介して通信端末に送られて無線送信され、点検員が携帯している他の通信端末から発報回線が音声出力され、試験員は、火災感知器の試験発報による火災受信が正常に行われたことをリアルタイムで知ることができ、受信機の動作が分かることで、点検員１名であっても不安なく試験作業を進めることができ、作業の途中で受信機に戻ってプリンタ打ち出し等を確認する必要がなく、作業負担を大幅に低減可能とする。
【００１９】
また、試験治具により通信端末を接続する電話ジャックを備えた発信機は例えば階別に分かれた警戒区域毎に必ず設置していることから、感知器試験を行う警戒区域に通信端末間で通話接続可能な無線通信エリアを確実に形成し、受信機から離れた場所であっても、点検員の保有する通信端末に試験発報を確実に送信して報知可能とする。
【００２０】
（ＰＴＴスイッチ機能付き通信端末向けの回路ユニットによる効果）
また、マイクプラグを接続する通信端末が、マイクスイッチ（プッシュ・トーク（ＴＰＰ）スイッチ）の操作によりマイク入力端子に流れる電流を検出した場合に送信動作に切替えてマイク入力端子から入力した音声信号を無線送信する機能を備えた場合、回路ユニットは、電話プラグから入力した音声信号のマイクプラグに対する出力をオン、オフするスイッチ回路部と、音声信号の入力を検出している場合にスイッチ回路部をオンして音声信号を出力させ、音声信号の入力を検出しなくなった場合にスイッチ回路部をオフするスイッチ制御部と、スイッチ回路部の入力側に接続され、スイッチ回路部をオンした場合にマイクプラグを接続した通信端末のマイク入力端子にマイクスイッチの操作に相当する電流を流して通信端末を送信動作に切替えるダミー抵抗を備えるようにしたため、マイクスイッチとして機能するＰＴＴスイッチの手動操作による音声送信の切替え機能を、試験支援治具のスイッチ制御回路、スイッチ回路及びダミー抵抗により自動的に行い、これによりＰＴＴスイッチ付きマイクを接続可能なマイク入力端子を備えた市販のトランシーバ等の通信端末を使用することで、受信機からの音声信号を試験支援治具により通信端末に送って無線送信し、検査員の携帯する通信端末から受信機の回線発報を音声出力可能とする。
【００２１】
（回路ユニットの追加構成による効果）
また、回路ユニットは、更に、電話プラグの電話ジャックに対する接続極性を無極性化して接続する無極性化回路部と、無極性化回路部の出力を入力し、電話回線から加わる過電圧を抑圧する保護回路部と、保護回路部の出力を入力し、電話回線の重畳しているハムノイズ成分を除去して所定の音声帯域の信号を通過させるフィルタ回路部と、フィルタ回路部の出力を入力し、電話回線から得られた音声信号を通信端末のマイク入力に適合した信号レベルに調整してスイッチ回路部に出力するゲイン調整回路部とを備え、フィルタ回路部の出力をスイッチング制御部に入力するようにしたため、直流電圧を重畳している電話回線と試験支援治具の接続に接続極性を考慮する必要はなく、また、電話回線側から試験支援治具に過大なサージ電圧等が加わっても回路部が破損されず、また、電話回線に重畳しているハムノイズ等を除去することでノイズによるスイッチ回路部の誤動作を防止し、更に、通信端末のマイク入力レベルに適合した音声信号を出力することで、歪のない適正音量となる音声信号の送信を可能とする。
【００２２】
（定電圧回路部による効果）
また、回路ユニットは、更に、電話回線に重畳している直流電圧を保護回路部から入力して所定の電源電圧を生成し、当該電源電圧をスイッチ回路部、スイッチ制御部、フィルタ回路部及びゲイン調整部に供給する定電圧回路部を設けるようにしたため、例えばスイッチ制御部に集積回路を設けたり、フィルタ回路部をオペアンプを備えたアクティブフィルタとした場合に、例えば電話回線から入力する直流２４ボルトから５ボルトの定電圧を生成して各回路部に供給することで、安定した回路動作を実現可能とする。
【００２３】
（ＶＯＸ機能付き通信端末向けの回路ユニットによる効果）
また、マイクプラグを接続する通信端末が、マイク入力端子に接続したマイクからの音声信号の入力を検出した場合に送信動作に切替えて音声信号を無線送信する機能を備えた場合、回路ユニットは、電話プラグの電話ジャックに対する接続極性を無極性化して接続する無極性化回路部と、無極性化回路部の出力を入力し、電話回線から加わる過電圧を抑圧する保護回路部と、保護回路部の出力を入力し、電話回線の重畳しているハムノイズ成分を除去して所定の音声帯域の信号を通過させるフィルタ回路部と、フィルタ回路部の出力を入力し、電話回線から得られた音声信号を通信端末のマイク入力に適合した信号レベルに調整して通信端末のマイク入力端子に出力するゲイン調整回路部を備えるようにしたため、電話回線から入力した音声信号のノイズを除去し、適正なマイク入力レベルに調整することで、通信端末に設けた音声信号の入力を検出した場合に自動的に送信動作に切替えて音声信号を無線送信するＶＯＸ機能を有効に活用して、電話回線から入力した音声信号を通信端末から無線送信し、検査員が携帯している通信端末からの発報回線の音声出力を可能とする。
【００２４】
（定電圧回路による効果）
この場合も試験支援治具は、回路ユニットは、更に、電話回線に重畳している直流電圧を保護回路部から入力して所定の電源電圧を生成し、当該電源電圧をフィルタ回路部及びゲイン調整部に供給する定電圧回路部を設けるようにしたため、フィルタ回路部をオペアンプを用いたたアクティブフィルタとし、またゲイン調整回路部にオペアンプを設けた場合に、例えば電話回線から入力する直流２４ボルトから５ボルトの定電圧を生成して各回路部に供給することで、安定した回路動作を実現可能とする。
【図面の簡単な説明】
【００２５】
【図１】本発明による試験支援治具の外観を示した説明図
【図２】ＰＴＴスイッチ機能付きのトランシーバの接続に使用する試験支援治具の回路構成の概略を示したブロック図
【図３】本発明の試験支援治具を用いた感知器試験に対応する火災報知設備の概略を示した説明図
【図４】図３における受信機の構成を発信機に試験支援治具により接続したトランシーバ及び試験員が携帯するトランシーバと共に示した説明図
【図５】本発明による試験支援治具の他の実施形態の外観を示した説明図
【図６】ＶＯＸ機能付きのトランシーバの接続に使用する試験支援治具の回路構成の概略を示したブロック図
【発明を実施するための形態】
【００２６】
［感知器試験の試験支援治具］
（試験支援治具の構造）
図１は本発明による試験支援治具の外観を示した説明図である。図１に示すように、試験支援治具１０はプラスチックケースで構成して内部に回路ユニットを収納した治具本体１２の一方から電話ケーブル１８を引き出して電話プラグ１４を接続し、また、治具本体１２の他方からマイクケーブル２０を引き出してマイクプラグ１６を接続している。
【００２７】
マイクプラグ１６は、マイクピン１６ａとイヤホンピン１６ｂを設けた２ピンプラグを使用しており、この２ピンプラグは、イヤホンマイクセットを通信端末として機能するトランシーバに接続するための一般的に使用されるプラグであることから、本実施形態の試験支援治具１０もイヤホンマイクセットと同じ２ピンプラグを使用している。
【００２８】
ここで、イヤホンピン１６ｂは試験支援治具１０の回路ユニットには使用しないことから、トランシーバに対しプラグを案内固定するガイドピンとして機能することになる。また、２ピンプラグに代えてマイクピンのみを備えたシングルピンのプラグとしても良い。
【００２９】
電話ケーブル１８及びマイクケーブル２０を含めた試験支援治具１０の全長は、電話プラグ１４を接続する電話ジャックを備えた火災報知設備の発信機における押釦位置が床面から最大１５０センチメートルとなっており、試験支援治具１０により接続したトランシーバを床に転がしても発信機に届くようにするため、全長を例えば１７０〜２００センチメートル程度とするようにケーブル長を決めている。
【００３０】
（試験支援治具の回路ユニット）
図２はＰＴＴスイッチ機能付きトランシーバの接続に使用する試験支援治具に設けた回路ユニットの実施形態を示したブロック図である。ここで、ＰＴＴスイッチ機能付きのトランシーバは、マイク入力端子にマイクスイッチとして機能するＰＰＴスイッチ（トークプッシュスイッチ）付きのイヤホンマイクを接続することができ、ＰＴＴスイッチを操作することでトランシーバを送信動作に切替えてマイクから入力した音声信号を無線送信する機能を備える。
【００３１】
図２に示すように、試験支援治具１０の治具本体１２に収納した回路ユニットは、電話回線から音声信号を入力する電話プラグ１４側からトランシーバに接続するマイクプラグ１６側に向けて、無極性化回路部２２、保護回路部２４、定電圧回路部２６、フィルタ回路部２８、ゲイン調整回路部３０、スイッチ制御部３２、ダミー抵抗３４及びスイッチ回路部３６を設けている。
【００３２】
無極性化回路部２２はダイオードブリッジを備え、直流２４ボルトを重畳している電話回線に接続している発信機の電話ジャックに対する電話プラグ１４の接続極性を無極性化して入力接続する。保護回路部２４はツェナーダイオードを備え、電話回線側から加わるサージ電圧等の過電圧を抑圧する。
【００３３】
フィルタ回路部２８は保護回路部２４の出力を入力し、オペアンプを備えたアクティブ型のハイパスフィルタを設けており、電話回線に重畳しているハムノイズ成分を除去して３４０Ｈｚ〜３．４ｋＨｚの音声帯域の信号を通過させる。なお、フィルタ回路部２８としては、３４０Ｈｚ〜３．４ｋＨｚの音声帯域の信号を通過させるバンドパスフィルタとしても良い。
【００３４】
ゲイン調整回路部３０はフィルタ回路部２８の出力を入力し、ゲイン調整アンプにより、電話回線４２ｂから得られた音声信号をＰＴＴスイッチ機能付きトランシーバのマイク入力に適合した所定信号レベルに調整して出力する。
【００３５】
スイッチ回路部３６は、ゲイン調整回路部３０から入力した音声信号のＰＴＴスイッチ機能付きトランシーバのマイク入力端子に対する出力をオン、オフする半導体スイッチを備える。
【００３６】
スイッチ制御部３２は、フィルタ回路部２８からの音声信号の入力を検出している場合にＨレベル信号を出力してスイッチ回路部３６をオンし、音声信号の入力を検出しなくなった場合にＬレベル信号を出力してスイッチ回路部３６をオフする制御を行う。
【００３７】
ダミー抵抗３４はスイッチ回路部３６をオンした場合にＰＴＴスイッチ機能付きトランシーバのマイク入力端子からダミー抵抗３４を介して所定値以上の電流を流し、このダミー抵抗３４に流す電流によりＰＴＴスイッチ機能付きトランシーバの制御部に送信動作に切替える制御を行わせる。
【００３８】
このダミー抵抗３４の機能は、ＰＴＴスイッチ機能付きトランシーバのマイクイヤホン端子にＰＴＴスイッチ付きのマイクイヤホンセットを接続してＰＴＴスイッチをオン操作したと同じ状態を作り出して送信動作に切替える。
【００３９】
定電圧回路部２６は、電話回線に重畳した２４ボルトの直流電圧を保護回路部２４から入力して所定の電源電圧、例えば直流５ボルトの電源電圧Ｖｃｃを生成し、この電源電圧Ｖｃｃをフィルタ回路部２８、ゲイン調整回路部３０、スイッチ制御部３２、スイッチ回路部３６に供給し、安定した動作を可能としている。
【００４０】
［試験支援治具を用いた感知器試験に対応した火災報知設備の概要］
図３は本発明の試験支援治具を用いた感知器試験に対応する火災報知設備の概略を示した説明図であり、回線単位に火災を監視するＰ型として知られた受信機を使用した火災報知設備を例にとっている。
【００４１】
図３に示すように、建物の管理人室などに設置した受信機４０からは建物内の警戒区域に向けて信号回線４２が引き出されており、信号回線４２は例えば火報線Ｌ、コモン線Ｃ及び電話線Ｔの３本で構成している。ここで火報線Ｌとコモン線Ｃで火報回線４２ａを構成し、電話線Ｔとコモン線Ｃで電話回線４２ｂを構成している。
【００４２】
受信機４０から引き出された火報回線４２ａには警戒区域内の所定の感知区域ごとに設置した火災感知器４４を接続している。火災感知器４４は火災に伴う煙を検出する煙感知器又は火災に伴う熱を検出する熱感知器である。火災感知器４４は煙濃度又は温度の検出信号から火災を検出して動作した場合（これを「発報」又は「発報動作」という）、発報電流を火報回線４２ａに流すことで火災信号を受信機４０に送信して火災警報を出力させる。
【００４３】
受信機４０は感知器回線４２ａを介して火災感知器４４が送信した火災信号を受信すると、主音響警報、地区音響警報、代表火災表示、地区火災表示等による火災警報の出力を行う。また、受信機４０は音声警報機能を備えており、火災信号を受信すると回線発報を示す所定の音声メッセージを出力する。
【００４４】
受信機４０から引き出された火報回線４２ａには発信機４６を接続している。発信機４６は複数の火災感知器４４が設置された警戒区域ごと、例えば各部屋に火災感知器４４を設置した場合は廊下壁面等の共用部に設置される。発信機４６は保護板でカバーされた発信機釦４６ａを備え、この押し込み操作によるスイッチのオンにより火報回線４２ａに発報電流を流すことで火災発信信号を受信機４０に送信して火災警報を出力させる。
【００４５】
発信機４６に設けた開閉自在なカバー扉の中には電話機接続端子として機能する電話ジャック４８を設けており、電話ジャック４８は受信機４０からの電話回線４２ｂに接続している。発信機４６に設けた電話ジャック４８に試験員が携帯した非常電話機のプラグを差し込むことで、受信機４０側の電話ジャックに差し込んでいる非常電話機との間の通話接続が可能となる。
【００４６】
ここで、発信機４６は受信機４０から警戒区域毎に引き出された火報回線４２ａに接続されているが、受信機４０から引き出された電話回線４２ｂは全ての警戒区域に共通回線として引き回されており、このため複数の発信機４６に設けた電話ジャック４８は同じ電話回線４２ｂに共通に接続されている。なお、電話回線４２ｂは可聴帯域の音声周波数帯域３００〜３４００Ｈとなる音声信号の伝送品質を確保している。
【００４７】
このような火災報知設備は、本発明の試験支援治具を用いた感知器試験に対応するため、受信機４０で感知器試験モードを設定した場合に、受信機４０から出力される音声メッセージの音声信号を電話回線４２ｂに出力するようにしている。
【００４８】
火災感知器４４の感知器試験を行う場合、試験員５２は発信機４６の電話ジャック４８に試験支援治具１０によりＰＴＴスイッチ機能付きのトランシーバ６０を接続し、また試験員５２は別のトランシーバ６２を携帯する。
【００４９】
このため試験員５２が試験治具５０を使用して火災感知器４４の発報試験を行うと、受信機４０は感知器試験による火災信号を受信して火災発報を示す音声メッセージを出力するが、この音声メッセージの音声信号が電話回線４２ｂを介して発信機４６の電話ジャック４８に接続した試験支援治具１０に入力し、ＰＴＴスイッチ機能付きのトランシーバ６０に送信動作を指示して音声信号を無線送信させ、試験員５２の携帯するトランシーバ６２から回線発報を示す音声メッセージを出力させる。
【００５０】
［試験支援治具の使用を可能とする火災報知設備］
図４は、図３における受信機の構成を発信機に、本発明の試験支援治具により接続したトランシーバ及び試験員が携帯するトランシーバと共に示した説明図である。
【００５１】
図４に示すように、受信機４０は制御部６４を備え、制御部６４は、ＣＰＵ、メモリ、各種の入出力ポートを備えたコンピュータ回路で構成している。制御部６４に対しては、回線受信部６６、表示部７０、操作部７２、移報部７４、警報部７６及び通話回路部８０を設けている。
【００５２】
回線受信部６６は火災感知器４４の火災検知による発報動作又は発信機４６の押し釦操作で流れる発報電流を検出して火災信号を制御部６４に出力する。火災感知器４４は煙濃度や温度に基づく火災を検知している場合に発報動作を継続しており、煙濃度や温度に基づく火災状態が解消されると発報動作を停止する。このため回線受信部６６は火災感知器４４が火災を検知して発報動作をしている間、火災信号を出力しており、火災感知器４４の火災発報動作が停止すると火災信号の出力を停止する。
【００５３】
表示部７０は受信機の盤前面や盤内に設けた各種の表示灯や表示器を備えている。例えば表示部７０には、火災代表灯、地区表示灯、電話灯、地区音響一時停止灯、主音響停止灯等を設けている。
【００５４】
操作部７２は受信機の盤前面や盤内に設けた各種の操作スイッチを備えている。例えば操作部７２には、地区音響一時停止スイッチ、主音響停止スイッチ、感知器点検モードを設定するスイッチ等を設けている。移報部７４には、外部接続する例えば表示盤等に火災代表移報信号や回線移報信号を出力する無電圧リレー接点を用いた移報回路を設けている。
【００５５】
警報部７６には、アンプ７６ａとスピーカ７６ｂを設けており、制御部６４の音声出力ポート７８からの音声信号をアンプ７６ａで増幅してスピーカ７６ｂに出力することで、回線発報を示す警報音や音声メッセージ及び操作案内を示す音声メッセージ等を出力可能としている。
【００５６】
通話回路部８０は電話回線４２ｂの電話線ＴにコンデンサＣ１，Ｃ２を直列接続し、コンデンサＣ１，Ｃ２の接続点を受信機４０に設けた電話ジャック８２に接続している。また電話線Ｔには抵抗Ｒ３を介して例えばＤＣ２４ボルトの電源電圧Ｖｃを印加しており、更に抵抗Ｒ１，Ｒ２を直列接続した分圧回路の分圧電圧を通話接続検出信号として制御部６４に出力している。
【００５７】
発信機４６の電話ジャック４８に非常電話機のプラグを差し込み接続すると、抵抗Ｒ３から電話線Ｔ、電話ジャック４８の非常電話機及びコモン線Ｃとなる経路で電流が流れ、抵抗Ｒ１，Ｒ２で分圧した通話接続検出信号（電圧信号）が所定値以下に低下し、これを制御部６４で検出して電話灯を点灯すると共に呼出音を出力し、受信機４０の電話ジャック８２に別の非常電話機のフラグを差し込み接続することで、発信機４６側の非常電話機との間で通話ができる。
【００５８】
このような受信機４０の構成に加え、制御部６４の音声出力ポート７８から出力してアンプ７６ａで増幅した音声信号を電話回線４２ｂに送出するため、電話回線接続部８４を設けている。電話回線接続部８４は音声出力ポート７８を、アンプ７６ｂを介して入力接続すると共に、その出力を通話回路部８０に設けたコンデンサＣ１，Ｃ２の間に接続し、コンデンサＣ１，Ｃ２を介して電話回線４２ｂに接続している。
【００５９】
制御部６４は操作部７２の所定の操作に基づき感知器試験モードを設定すると、電話回路接続部８４に内蔵したスイッチ回路部をオンし、音声出力ポート７８からの音声信号を電話回線４２ｂに出力可能とする。
【００６０】
本試験支援治具１０を介して発信機４６に接続するトランシーバ６０及び試験員が携帯するトランシーバ６２は、特定小電力の通信規格に従った４００ＭＨｚ帯を使用しており、建物の同一フロアであれば、５０メートル程度までは確実に音声通信を可能とする。
【００６１】
［試験支援治具を使用した感知器試験の制御動作］
図４に示した受信機４０の制御部６４は、感知器試験を行う場合には、操作部７２による感知器試験モードの設定操作を検知したときに、通常監視状態における火災監視モードを解除して感知器試験モードの設定に切替える制御を行う。制御部６４による感知器制御モードは、地区音響警報を禁止すると共に、主音響警報及び回線発報の音声メッセージを火災信号が受信されている間、出力するモードとする。更に、感知器試験モードの設定に伴い制御部６４は電話回線接続部８４をオンし、アンプ７６ａを介して電話回線１２側に音声出力ポート７８を接続する制御を行う。
【００６２】
一方、火災感知器４４を設置した感知器試験を行うフロアでは、試験員が発信機４６の電話ジャック４８に試験支援治具１０を介してＰＴＴスイッチ機能付きのトランシーバ６０を接続し、トランシーバ６０の電源を入れてスタンバイ状態とし、試験員は別のトランシーバ６２を携帯し、図１に示したように、試験治具５０を使用して火災感知器４４の試験を開始する。
【００６３】
受信機４０の制御部６４は、感知器試験モードの設定状態で、火災信号の受信を検知すると、音声出力ポート７８から回線発報を示す音声メッセージの音声信号を出力し、この音声信号は電話回線接続部８４及び通話回路部８０を介して電話回線４２ｂに送出され、発信機１８の電話ジャック４８に接続している試験支援治具１０に入力する。
【００６４】
試験支援治具１０は、図２に示したように、電話プラグ１４、無極性化回路部２２、保護回路部２４及びフィルタ回路部２８を介して受信機４０からの音声信号をスイッチ制御部３２で入力すると、音声信号を検出してＨレベル出力を生じ、スイッチ回路部３６をオンすることで、マイクプラグ１６を接続しているトランシーバ６０のマイク入力端子からダミー抵抗３４に電流を流し、トランシーバ６０を送信動作に切替え、ゲイン調整回路部３０で適正レベルに調整された音声信号をスイッチ回路部３６からトランシーバ６０に出力して無線送信させる。
【００６５】
このため試験員５２は、携帯しているトランシーバ６２の音声出力により、火災感知器４４の試験発報による火災受信が受信機４０で正常に行われたことをリアルタイムで知ることができ、受信機４０の動作が分かることで、点検員１名であっても不安なく試験作業を進めることができ、作業の途中で受信機４０に戻ってプリンタ打ち出し等を確認する必要がなく、作業負担を大幅に低減可能とする。
【００６６】
［試験支援治具の他の実施形態］
図５は本発明による試験支援治具の他の実施形態の外観を示した説明図である。図５に示すように、本実施形態の試験支援治具１０は、回路ユニットを収納した治具本体１２の一方から電話カールケーブル１９を引き出して電話プラグ１４を接続し、また、治具本体１２の他方からマイクカールケーブル２１を引き出してマイクプラグ１６を接続している。このように電話カールケーブル１９及びマイクカールケーブル２１を使用することで、電話プラグ１４を壁面に設けた発信機の電話ジャックに接続した場合の反対側のマイクプラグ１６を接続したトランシーバとの長さをフレキシブルにかえることができ、試験支援治具１０の取り回しを容易にする。
【００６７】
このように電話カールケーブル１９とマイクカールケーブル２１を用いた場合にも、発信機における押釦位置が床面から最大１５０センチメートルとなっていることに対応し、電話カールケーブル１９とマイクカールケーブル２１を伸ばした場合の全長を例えば１７０〜２００センチメートル程度となるようにする。
【００６８】
また、図１はストレートケーブルを使用し、図５はカールケーブルを使用しているが、何れか一方をカールケーブルとし、他方をストレートケーブルとしても良い。
【００６９】
［ＶＯＸ機能付きトランシーバ向けの試験支援治具］
（ＶＯＸ機能付きのトランシーバ）
本発明の試験支援治具により使用可能なトランシーバとして、所謂ＶＯＸ機能付きのトランシーバがある。トランシーバのＶＯＸ機能（Ｖｏｉｃｅ  Ｏｐｅｒａｔｅｄ  Ｒｅｌｙ）とは、ＰＴＴスイッチを使用することなく、マイクから入力された音声を検出して自動的に送受信を切替える機能であり、音声を検出すると送信に切り替え、音声を検出しなくなると受信に切替える。
【００７０】
（試験支援治具の回路機能）
図６はＶＯＸ機能付きのトランシーバの接続に使用する試験支援治具の回路構成の概略を示したブロック図である。
【００７１】
図６に示すように、試験支援治具１０の治具本体１２には、電話プラグ１４側からマイクプラグ１６側に向けて、無極性化回路部２２、保護回路部２４、定電圧回路部２６、フィルタ回路部２８及びゲイン調整回路部３０を設けている。無極性化回路部２２、保護回路部２４、定電圧回路部２６、フィルタ回路部２８及びゲイン調整回路部３０は図２の実施形態と同じであることから、その説明は省略する。
【００７２】
本実施形態の試験支援治具１０は、無極性化回路部２２により直流２４ボルトを重畳している電話回線の電話ジャックに対する電話プラグ１４の接続極性を無極性化して入力し、保護回路部２４で電話回線から加わるサージ電圧等の過電圧を抑圧し、フィルタ回路部２８により電話回線に重畳しているハムノイズ成分を除去して３４０Ｈｚ〜３．４ｋＨｚの音声帯域の信号を通過させ、更に、ゲイン調整回路部３０により、電話回線から得られた音声信号をＶＯＸ機能付きのトランシーバのマイク入力に適合した所定信号レベルに調整して出力する。
【００７３】
試験支援治具１０からの音声信号をマイク入力端子から入力したＶＯＸ機能付きのトランシーバは、トランシーバ本体のモード切替えスイッチを操作してＶＯＸモードを選択しておくことにより、音声信号を検出すると自動的に送信に切り替わり、音声信号を検出しなくなると自動的に受信に切り替わり、これより受信機からの音声信号を試験員が携帯しているトランシーバに送信して出力させることで、火災感知器の試験発報による火災受信が受信機で正常に行われたか否かをリアルタイムで知ることを可能とする。
【００７４】
［本発明の変形例］
（対象設備）
上記の実施形態は、火災報知設備における試験支援治具を用いた感知器試験を例とっているが、親機と端末子機を信号線及び電話回線で接続した防排煙設備、セキャリティ設備等の適宜の設備の試験支援治具を用いた試験に適用できる。
（Ｒ型火災報知設備）
上記の実施形態はＰ型の火災報知設備における試験支援治具を用いた感知器試験を例とっているが、Ｒ型として知られた受信機から引き出された伝送回線にアドレスを設定したアナログ火災感知器を接続して感知器単位に火災を監視して警報する防災監視設備についても同様に試験支援治具を用いて感知器試験を行うことができる。
【００７５】
（試験治具）
上記の実施形態は、ＰＴＴ機能付きのトランシーバとＶＯＸ機能付きのトランシーバに対応した試験支援治具を例にとっているが、図２の試験支援治具の回路について、スイッチ制御部３２を切離してスイッチ回路部３６を常にオンとするようにスイッチ操作に基づき切替える切替え機能を設けることで、１つの試験支援治具によりＴＰＰ機能付きのトランシーバとＶＯＸ機能付きのトランシーバに選択的に対応できるようにしても良い。
【００７６】
（電話ジャック）
上記の実施形態は発信機の電話ジャックに感知器試験の際に試験支援治具によりトランシーバを接続する場合を例にとっているが、発信機以外の機器に設けた電話ジャックに試験支援治具によりトランシーバを接続して感知器試験を行うことを妨げるものではない。
【００７７】
（その他）
また、本発明は上記の実施形態に限定されず、その目的と利点を損なうことのない適宜の変形を含み、更に上記の実施形態に示した数値による限定は受けない。
【符号の説明】
【００７８】
１０：試験支援治具
１２：治具本体
１４：電話プラグ
１６：マイクプラグ
１８：電話ケーブル
１９：電話カールケーブル
２０：マイクケーブル
２１：マイクカールケーブル
２２：無極性化回路部
２４：保護回路部
２６：定電圧回路部
２８：フィルタ回路部
３０：ゲイン調整回路部
３２：スイッチ制御部
３４：ダミー抵抗
３６：スイッチ回路部
４０：受信機
４２：信号回線
４２ａ：火報回線
４２ｂ：電話回線
４４：火災感知器
４６：発信機
４８，８２：電話ジャック
５０：試験治具
５２：試験員
７６：警報部
７８：音声出力ポート
８０：通話回路部
８４：電話回線接続部
【図１】
2017016221.tif 000003
【図２】
2017016221.tif 000004
【図３】
2017016221.tif 000005
【図４】
2017016221.tif 000006
【図５】
2017016221.tif 000007
【図６】
2017016221.tif 000008